(57)【特許請求の範囲】
【請求項１】
送風部および加熱部を内蔵する略筒状の本体部と、当該本体部からその交叉方向に延びる中空状のグリップ部と、少なくとも一部が当該グリップ部内に収容された状態で取り付けられて送風部および加熱部のうち少なくともいずれか一方の動作を切り換えるスイッチ部と、を備え、
前記グリップ部内で、当該グリップ部の長手方向に沿って前記スイッチ部を跨ぐように配索される配線を、当該スイッチ部の側面に固定するようにした加熱送風装置において、
前記スイッチ部の側面に、前記配線を保持する配線保持部を設けるとともに、当該配線保持部は、並列に配置される複数の突起間の溝に前記配線を嵌着するものであり、
前記配線保持部の複数の突起は、前記配線を挟持する二つの突起のうち少なくとも一方の先端部を他方側に張り出させたフック状の突起を含むとともに、
前記スイッチ部の側面に固定される配線一本につき、前記配線保持部を、前記グリップ部の長手方向に離間させて複数設け、且つ
前記スイッチ部は、操作子を可動支持するとともに当該操作子と電気的に接続されたスイッチ本体部と、当該スイッチ本体部とは別体で設けられ且つ複数の前記スイッチ本体部を一体に保持するスイッチホルダと、を有し、
前記スイッチホルダは、複数の前記スイッチ本体部の操作子が設けられる側とは反対側に配置される板状部を備え、前記板状部の前記スイッチ本体部が設けられる側とは反対側の表面に前記配線保持部としての複数の突起を設けたことを特徴とする加熱送風装置。
【請求項２】
複数の前記配線が前記スイッチ部の側面に沿って並行した状態で当該側面に固定されることを特徴とする請求項１に記載の加熱送風装置。
【発明の詳細な説明】
【技術分野】
【０００１】
本発明は、加熱送風装置に関する。
【背景技術】
【０００２】
従来のヘアドライヤー等の加熱送風装置として、筒状の本体部内に送風部および加熱部を内蔵するとともに、本体部からその交叉方向に延びる中空状のグリップ部を有するものが知られている。グリップ部には、送風部や加熱部の動作を切り換えるスイッチ部が設けられ、当該グリップ部内で、スイッチ部あるいは電源コードに繋がる配線が配索されている。グリップ部の外郭は、断面略アーチ状の分割体の端縁同士を突き合わせて閉断面を成すように構成されている（例えば、特許文献１）。
【特許文献１】特開平５−３１００４号公報
【発明の開示】
【発明が解決しようとする課題】
【０００３】
上記従来の加熱送風装置では、グリップ部に、スイッチ部および配線を組み付けるに際しては、まず、グリップ部の外郭をなす分割体の一方にスイッチ部を組み付け、次いで、スイッチ部とその分割体との隙間に配線を配索し、最後に、分割体の他方を組み付ける手順で行われる。
【０００４】
しかし、かかる従来の加熱送風装置では、複数の配線がばらばらであったため、スイッチ部と分割体との隙間に配線を配索する作業が面倒であるという問題があった。
【０００５】
特に、スイッチの数を多くしたり、スイッチによる切換制御機能を向上させたりして、スイッチ部が全体として大型化したり、それに伴って配線の数が増えたりした場合や、あるいは意匠的にグリップ部を細くする場合等にあっては、配線に対して十分な隙間を確保しにくくなって、当該隙間における配線の配索が困難になるという問題があった。
【０００６】
そこで、本発明は、グリップ部にスイッチ部および配線を組み付けやすくすることが可能な加熱送風装置を得ることを目的とする。
【課題を解決するための手段】
【０００７】
請求項１の発明にあっては、送風部および加熱部を内蔵する略筒状の本体部と、当該本体部からその交叉方向に延びる中空状のグリップ部と、少なくとも一部が当該グリップ部内に収容された状態で取り付けられて送風部および加熱部のうち少なくともいずれか一方の動作を切り換えるスイッチ部と、を備え、上記グリップ部内で、当該グリップ部の長手方向に沿って上記スイッチ部を跨ぐように配索される配線を、当該スイッチ部の側面に固定するようにした加熱送風装置において、上記スイッチ部の側面に、上記配線を保持する配線保持部を設けるとともに、当該配線保持部は、並列に配置される複数の突起間の溝に上記配線を嵌着するものであり、上記配線保持部の複数の突起は、上記配線を挟持する二つの突起のうち少なくとも一方の先端部を他方側に張り出させたフック状の突起を含むとともに、上記スイッチ部の側面に固定される配線一本につき、上記配線保持部を、上記グリップ部の長手方向に離間させて複数設け、且つ上記スイッチ部は、操作子を可動支持するとともに当該操作子と電気的に接続されたスイッチ本体部と、当該スイッチ本体部とは別体で設けられ且つ複数の上記スイッチ本体部を一体に保持するスイッチホルダと、を有し、上記スイッチホルダは、複数の上記スイッチ本体部の操作子が設けられる側とは反対側に配置される板状部を備え、上記板状部の上記スイッチ本体部が設けられる側とは反対側の表面に上記配線保持部としての複数の突起を設けたことを特徴とする。
【０００８】
請求項２の発明にあっては、複数の上記配線が上記スイッチ部の側面に沿って並行した状態で当該側面に固定されることを特徴とする。
【発明の効果】
【００１５】
請求項１の発明によれば、スイッチ部と配線とを一体化された状態でグリップ部に組み付けることができ、作業効率を向上することができる。
また、スイッチ部に設けた配線保持部によって配線をスイッチ部に固定できるので、別個の固定部材を用いるような場合に比べて、配線を固定する構造を簡素化することができる。
また、配線保持部に配線を嵌着して簡単に固定できるので、作業効率をより一層向上することができる。
また、フック状の突起を設けた分、配線を配線保持部により確実に保持させることができる。
また、配線をより長く区間に亘ってスイッチ部に沿わせることができる分、配線が組付作業の妨げとなるのを抑制することができる。また、配線保持部をグリップ部の長手方向に沿って長く延設した場合に比べて、スイッチ部を軽量化することができる。
また、配線保持部をスイッチホルダに設けたため、スイッチ本体部の汎用性を高めることができる。
また、スイッチホルダによって複数のスイッチを一体化することができる分、複数のスイッチが分離されている場合に比べて、スイッチ部および配線をグリップ部に組み付ける作業の効率をより一層向上することができる。
【００１６】
請求項２の発明によれば、複数の配線がスイッチ部の側面に沿って並ぶ状態となるため、スイッチ部に複数の配線を固定する部分の側面からの高さを低く抑えて嵩張るのを抑制し、作業効率をより一層向上することができる。
【発明を実施するための最良の形態】
【００２３】
以下、本発明の実施形態について図面を参照しながら詳細に説明する。図１〜図６は、本発明の一実施形態にかかる加熱送風装置を示している。このうち、図１は、本実施形態にかかる加熱送風装置の斜視図、また、図２は、加熱送風装置の側面図である。
【００２４】
この加熱送風装置１は、ヘアドライヤーとして構成されており、筒状に形成される本体部２と、本体部２の途中から当該本体部２の長手方向と交叉する方向に突出するグリップ部３と、を備え、全体として略Ｔ字状の外観を呈している。
【００２５】
本体部２の長手方向一端には、吸入口５が形成される一方、他端には吹出口６が形成され、吸入口５で吸い込まれた空気が本体部２の内部で適宜に加熱されて吹出口６から吹き出される。
【００２６】
また、本体部２には、グリップ部３の反対側に、吹出口６と同方向に開放される第二の開口部７が形成されており、この開口部７から、静電霧化部２０（図３参照）で生成された霧を含む空気が排出されるようになっている。
【００２７】
本体部２およびグリップ部３の外郭は、それぞれほぼ一定の肉厚で略アーチ状の断面を有する左右勝手違いの二つのケーシング（分割体）４Ｌ，４Ｒを、それらの端縁同士を突き合わせて一体化させ、さらに、本体部２の吹出口６側に筒状ケーシング４Ｆを取り付けることで構成されている。よって、本体部２およびグリップ部３のそれぞれが閉断面構造となって、各内部に構成部品が収容されている。なお、ケーシング４Ｌ，４Ｒおよび筒状ケーシング４Ｆは、例えば、合成樹脂材料を所定形状に成形して構成されており、適宜別部材のカバー等で被覆してもよい。
【００２８】
グリップ部３には、本体部２内の各部（加熱部や、送風部、静電霧化部等）の動作を切り換えるスイッチ部８，９，１０が設けられている。各スイッチ部８，９，１０の操作子８０ｂ，９ｂ，１０ｂは、ケーシング４Ｌ，４Ｒの相互に突き合わせられる端縁に形成された切欠同士（４ａと４ａ），（４ｂと４ｂ），（４ｃと４ｃ）によって形成される各開口部から、グリップ部３（ケーシング４Ｌ，４Ｒ）の外に露出している。
【００２９】
また、グリップ部３の先端部には開口部４ｄが形成されており、この開口部４ｄの縁に電源コード１１の端部が係止されている。電源を供給する配線は、この電源コード１１内からグリップ部３内を経由して本体部２内に配索されている。なお、図２に示すように、グリップ部３には、スイッチ部８の反対側に、滑り止めを兼ねるカバー２１が取り付けられている。
【００３０】
図３は、加熱送風装置の内部構成を示す側方断面図、図４は、図２のIV−IV断面図、図５は、図２のV−V断面図、図６は、加熱送風装置のケーシング内に収容される内部構造体アセンブリの斜視図である。
【００３１】
図３に示すように、本体部２の筒内には、保持筒１３に取り付けられたモータ１４とこのモータ１４に回転駆動されるファン１５とを有する送風部が設けられるとともに、当該送風部の後段には電熱線等を含む加熱部１９が設けられている。すなわち、ファン１５の回転によって吸入口５から吸い込まれた空気が加熱部１９で加熱されて吹出口６から吹き出されるようになっている。
【００３２】
吸入口５の近傍には、着脱可能なフィルタ１７，１８が設けられており、これらフィルタ１７，１８によって塵芥等が本体部２の筒内に進入するのが抑制されるとともに、捕捉された塵芥等を容易に除去できるようになっている。これらフィルタ１７，１８は、保持枠１６によってケーシング４Ｌ，４Ｒに取り付けられるようになっている。
【００３３】
また、静電霧化部２０は、加熱部１９と並行して設けられており、加熱部１９に導入される前の空気が一部分流されて静電霧化部２０に導入され、当該静電霧化部２０で生成された微粒化された霧をのせて開口部７から排出されるようになっている。
【００３４】
グリップ部３の筒内Ｓｂには、スイッチ部８，９，１０のスイッチ本体部８０ａ，９ａ，１０ａが配置されており、これらスイッチ本体部８０ａ，９ａ，１０ａを避けるようにして、配線１２が配索されている。
【００３５】
各スイッチ部８，９，１０の操作子８０ｂ，９ｂ，１０ｂは、これらスイッチ本体部８０ａ，９ａ，１０ａに可動支持されている。操作子８０ｂ，９ｂ，１０ｂは、スイッチ本体部８０ａ，９ａ，１０ａにスライド可能に支持されていてもよいし、突没可能に支持されていてもよい。そして、各操作子８０ｂ，９ｂ，１０ｂを操作することで、本体部２内の各部（加熱部や、送風部、静電霧化部等）の動作（例えば、ＯＮ／ＯＦＦ、風量、加熱の有無、加熱量、霧の有無、霧の量など）を切り換えることができる。
【００３６】
ところで、本実施形態では、これら三つのスイッチ部８，９，１０の中でも、グリップ部３の長手方向中央部に設けられるスイッチ部８が最も大きく、その側面８１ｃとケーシング４Ｌ，４Ｒ（カバー２１）との間の隙間Ｓｃが狭くなっている。
【００３７】
このスイッチ部８とケーシング４Ｌ，４Ｒとの間の隙間Ｓｃを通る配線１２としては、電源コード１１から本体部２内に向けて配索される配線１２や、スイッチ部８のグリップ部３先端側の端子に接続されて本体部２内に向けて配索される配線１２等がある。
【００３８】
また、スイッチ部８は、本実施形態では、図４に示すように二つのスイッチ８０，８０を有しているため、スイッチが一つである場合に比べて、スイッチ部８に繋がる配線１２の本数が多くなり、スイッチ部８とケーシング４Ｌ，４Ｒとの間の隙間を配索される配線１２の本数も多くなっている。
【００３９】
そこで、これらスイッチ部８，９，１０（特にスイッチ部８）ならびに配線１２をケーシング４Ｌ，４Ｒに組み付けやすくするため、本実施形態では、図４〜図６に示すように、スイッチ部８の側面８１ｃに沿う配線１２を、当該側面８１ｃに固定してある。
【００４０】
スイッチ部８は、二つのスイッチ８０，８０と、これらスイッチ８０，８０のスイッチ本体部８０ａ，８０ａを一体に保持するスイッチホルダ８１とを有しており、本実施形態では、このスイッチホルダ８１に配線保持部をなす複数の突起８１ｂ，８１ｂを設け、これら突起８１ｂによって配線１２を保持している。このスイッチホルダ８１は、例えば、合成樹脂を所定形状に成形することで得ることができる。
【００４１】
二つのスイッチ８０，８０の操作子８０ｂ，８０ｂは、図４に示すように、ケーシング４Ｌ，４Ｒに形成された切欠４ａ，４ａによって形成される開口部から、並んで露出している。
【００４２】
スイッチホルダ８１は、これら操作子８０ｂ，８０ｂの反対側に略矩形の板状部８１ａを備え、図外の他の部位とともに、二つのスイッチ８０，８０（のスイッチ本体部８０ａ，８０ａ）を抱持している。
【００４３】
ここで、板状部８１ａの表面（側面８１ｃ）には、配線保持部としての複数の突起８１ｂが設けられている。具体的には、図５に示すように、複数の突起８１ｂをグリップ部３の長手方向に対する交叉方向（図５の横方向）に所定間隔で並べた列が、グリップ部３の基端側（図５の上側）および先端側（図５の下側）に、それぞれ配置されている。そして、各列で、相互に隣接する突起８１ｂ間の隙間に、配線１２が挟持される。すなわち、配線保持部は、相互に隣接する二つの突起８１ｂ，８１ｂによって構成されており、本実施形態では、これら二つの突起８１ｂ，８１ｂ間に、配線１２を嵌着して取り付けることができる。
【００４４】
さらに、上記二列で、複数の突起８１ｂの形状および配置を同じにするとともに、一対の突起８１ｂ，８１ｂ間の溝を、対応するもの同士で直線状に並べることで、各配線１２が、列毎に一対の突起８１ｂ，８１ｂで保持され、グリップ部３の長手方向に沿って直線状に配索されるようにしてある。すなわち、本実施形態では、配線１２一本につき、一対の突起８１ｂ，８１ｂからなる配線保持部が、グリップ部３の長手方向に離間させて二箇所設けられていることになる。
【００４５】
さらに、本実施形態では、図４に示すように、配線１２を挟持する二つの突起８１ｂ，８１ｂのうち一方の先端部を他方側（配線１２側）に張り出させたフック状に形成することで、配線１２の保持性を高めてある。なお、二つの突起８１ｂ，８１ｂの双方をフック状としてもよい。
【００４６】
また、板状部８１ａにおいて、側面８１ｃの反対面には、二つのスイッチ８０，８０間に突出するリブ８１ｄを設け、操作子８０ｂ，８０ｂの動作のガイドとして機能するようにしてある。
【００４７】
以上の本実施形態では、グリップ部３内で、当該グリップ部３の長手方向に沿ってスイッチ部８を跨ぐように配索される配線１２を、当該スイッチ部８の側面８１ｃに固定するようにした。このため、スイッチ部８と配線１２とを一体化された状態でグリップ部３に組み付けることができ、作業効率を向上することができる。
【００４８】
よって、図６に示すように、電源コード１１、配線１２、スイッチ部８，９，１０、および本体部２の内部構造（保持筒１３、加熱部１９、静電霧化部２０等）など、ケーシング４Ｌ，４Ｒ内に収容される部品を、まとまった状態でケーシング４Ｌ，４Ｒに組み付けることができ、特に、スイッチ部８の側面８１ｃに沿って複数の配線１２が固定される分、グリップ部３にスイッチ部８および配線１２を収容しやすくなって、組付作業の作業効率が大幅に向上する。
【００４９】
また、本実施形態では、複数の配線１２がスイッチ部８の側面８１ｃに沿って並行した状態で当該側面８１ｃに固定される。よって、スイッチ部８に複数の配線１２を固定した部分の側面８１ｃからの高さを低く抑えて嵩張るのを抑制し、作業効率をより一層向上することができる。
【００５０】
また、本実施形態では、スイッチ部８の側面８１ｃに、配線１２を保持する配線保持部として複数の突起８１ｂを設けた。よって、別個の固定部材を用いるような場合に比べて、配線１２を固定する構造を簡素化することができる。
【００５１】
また、本実施形態では、配線保持部としての一対の突起８１ｂ，８１ｂに、配線１２を嵌着して固定するようにした。よって、配線１２を一対の突起８１ｂ，８１ｂ間にあてがって押し込むだけで、簡単に固定することができ、作業効率をより一層向上することができる。
【００５２】
また、本実施形態では、配線保持部をなす突起８１ｂとして、フック状の突起８１ｂを含む。このフック形状により、配線１２の抜けが抑制されて、配線１２の保持性を高めることができる。
【００５３】
また、本実施形態では、スイッチ部８の側面８１ｃに固定される配線１２一本につき、配線保持部としての一対の突起８１ｂ，８１ｂを、グリップ部３の長手方向に離間させて複数設けた。よって、配線１２をより長い区間に亘ってスイッチ部８の側面８１ｃに沿わせることができる分、配線１２が組付作業の妨げとなるのを抑制し、作業効率をより一層向上することができる。また、配線保持部をグリップ部３の長手方向に沿って長く延設した場合に比べて、スイッチ部８を軽量化することができるという利点もある。
【００５４】
また、本実施形態では、配線保持部をなす複数の突起８１ｂを、スイッチホルダ８１に設けた。よって、スイッチ本体部８０ａ（スイッチ８０）を他の装置と共用しやすくなって、汎用性を高めることができる。
【００５５】
さらに、本実施形態では、配線１２の一本あたりに、配線保持部としての一対の突起８１ｂ，８１ｂを、スイッチホルダ８１に、グリップ部３の長手方向に離間させて複数設け、さらに、複数の突起８１ｂの少なくとも一部にフック状のものを設定した。スイッチホルダ８１を合成樹脂の成形品とする場合、フック状の突起８１ｂを形成するには、スライド型が必要となる。この場合において、フック状の突起８１ｂをグリップ部３の長手方向に沿って長くすると、スライド型のスライド量を長くすることになって、成形に手間がかかる上、成形精度が低下する虞がある。この点、本実施形態では、配線保持部をなす一対の突起８１ｂ，８１ｂ（の列）を、グリップ部３の長手方向に離間させて複数箇所設けたため、各箇所では突起８１ｂ，８１ｂのグリップ部３の長手方向に沿う長さを短くできる。よって、スライド量を短くできて、樹脂成形しやすくなる上、成形精度を高めることができる。
【００５６】
また、本実施形態では、スイッチホルダ８１は、複数のスイッチ本体部８０ａ，８０ａ（スイッチ８０，８０）を一体に保持している。よって、このスイッチホルダ８１によって複数のスイッチ８０を一体化することができ、複数のスイッチ８０，８０を分離したままの場合に比べて、スイッチ部８および配線１２をグリップ部３に組み付ける作業の効率をより一層向上することができる。
【００５７】
以上、本発明の好適な実施形態について説明したが、本発明は上記実施形態には限定されず、種々の変形が可能である。
【００５８】
例えば、加熱送風装置の外形状は、上記実施形態には限定されず、例えばＴ字型以外にもＬ字型のものであってもよいし、本体部とグリップ部との角度が可変する折り畳み式のものであってもよい。
【００５９】
また、配線を固定する手法や構造は、種々のものを採用できるし、配線保持部の構造も種々に変形可能である。また、配線保持部をなす複数の突起の形状や配列等も、上記実施形態には限定されない。
【００６０】
また、スイッチホルダを設けない場合には、スイッチ本体部に配線保持部を設けるなどして、当該本体部の側面に直接配線を固定してもよい。
【図面の簡単な説明】
【００６１】
【図１】本発明の一実施形態にかかる加熱送風装置の斜視図である。
【図２】本発明の一実施形態にかかる加熱送風装置の側面図である。
【図３】本発明の一実施形態にかかる加熱送風装置の内部構成を示す側方断面図である。
【図４】図２のIV−IV断面図である。
【図５】図２のV−V断面図である。
【図６】本発明の一実施形態にかかる加熱送風装置のケーシング内に収容される内部構造体アセンブリの斜視図である。
【符号の説明】
【００６２】
１  加熱送風装置
２  本体部
３  グリップ部
８，９，１０  スイッチ部
１２  配線
１４  モータ（送風部）
１５  ファン（送風部）
１９  加熱部
８０ａ  スイッチ本体部
８０ｂ  操作子
８１  スイッチホルダ
８１ｂ  突起（配線保持部）
８１ｃ  側面
【図１】
0004925319.tif 000002
【図２】
0004925319.tif 000003
【図３】
0004925319.tif 000004
【図４】
0004925319.tif 000005
【図５】
0004925319.tif 000006
【図６】
0004925319.tif 000007